(57)【要約】【課題】長期間に渡って薬液を劣化させずして保管することが可能であるとともに、筒先に流入する薬液や血液を良く観察することができ、さらに注射後の薬液の残留を防止することが可能な容器兼用注射器を提供する。【解決手段】シリンダ２の先端側に、ルアー先１２に連通孔１２ｂが穿設された筒先３が嵌着される容器兼用注射器１において、連通孔１２ｂを閉塞する密栓部７ｃを設け、密栓部７ｃ及びストッパー５を薬液ｍに対して耐食性のある弾性体で形成し、筒先３における少なくとも薬液ｍとの接触箇所を該薬液ｍに対して耐食性のある合成樹脂で形成する。【選択図】図２
2009213632.tif 000002
【特許請求の範囲】
【請求項１】
円筒状をなし薬液が充填されるガラス製のシリンダと、該シリンダ内の後端側に液密に嵌入されたストッパーと、前記シリンダの後端に設けられたフィンガーグリップと、前記シリンダの後端側からシリンダ内に挿入されて前記ストッパーに連結されたプランジャロッドとを備え、前記シリンダの先端側に、注射針が取り付けられるルアー先に連通孔が穿設された筒先が嵌着されてなる容器兼用注射器において、
前記連通孔を閉塞する密栓部材が設けられ、
該密栓部材及び前記ストッパーが前記薬液に対して耐食性のある弾性体で形成されるとともに、前記筒先における少なくとも前記薬液との接触箇所が該薬液に対して耐食性のある合成樹脂で形成されていることを特徴とする容器兼用注射器。
【請求項２】
前記薬液に対して耐食性のある合成樹脂が、ポリプロピレン、環状ポリオレフィン、環状ポリオレフィンコポリマーのいずれかであることを特徴とする請求項１に記載の容器兼用注射器。
【請求項３】
前記筒先が、
前記シリンダの先端開口を覆うフランジの中央に前記ルアー先が形成されたルアー先部材と、
前記シリンダの先端外周及び前記フランジの外周に外嵌される円筒状をなし、前記ルアー先部材を前記シリンダに対して固定する嵌着部材とからなり、
前記ルアー先部材は薬液に対して耐食性のある合成樹脂で形成され、前記嵌着部材は高透明度を有する合成樹脂で形成されていることを特徴とする請求項１に記載の容器兼用注射器。
【請求項４】
前記嵌着部材の先端から内側に向かって張り出して、前記フランジの先端側を向く面と当接し、前記ルアー先部材を軸線方向に固定する係止部が設けられたことを特徴とする請求項３に記載の容器兼用注射器。
【請求項５】
前記シリンダの先端と前記フランジの後端側を向く面との間に介在して、前記薬液を前記シリンダ内に気密液密に保持するラバーパッキンが設けられたことを特徴とする請求項３又は４に記載の容器兼用注射器。
【請求項６】
前記ラバーパッキンが、ブチルゴム製であることを特徴とする請求項５に記載の容器兼用注射器。
【請求項７】
前記高透明度を有する合成樹脂が、ポリプロピレンであることを特徴とする請求項３から６のいずれか一項に記載の容器兼用注射器。
【請求項８】
前記薬液に対して耐食性のある合成樹脂が、環状ポリオレフィン、環状ポリオレフィンコポリマーのいずれかであることを特徴とする請求項３から７のいずれか一項に記載の容器兼用注射器。
【請求項９】
前記密栓部材が、前記筒先の外周面全域を覆うことを特徴とする請求項１から８のいずれか一項に記載の容器兼用注射器。
【請求項１０】
前記密栓部材及び前記ストッパーが、ブチルゴム製であることを特徴とする請求項１から９のいずれか一項に記載の容器兼用注射器。
【発明の詳細な説明】
【技術分野】
【０００１】
本発明は、薬液を予め充填、保管しておき使用時に包装から取り出して直ぐに使用することが可能な容器兼用注射器に関する。
【背景技術】
【０００２】
容器兼用注射器は、予め薬液が充填されているため、医療機関において煩雑な操作をすることなく、包装から取り出して直ぐに使用できるので、利便性に優れ、医師や看護師等の医療業務に携わる者の作業の軽減に大変に役立ち、このため、多くの病医院で採用されている。
【０００３】
この容器兼用注射器としては、シリンダと、該シリンダ内の前後端側に嵌入され、シリンダ内に充填された薬液を液密に封止する前部ストッパー及び後部ストッパーと、シリンダの先端に嵌着され、前部ストッパーが入り込むバイパスチャンバー及びその先端の注射針を取り付けるためのルアー先が設けられた筒先と、シリンダの後端に嵌着されたフィンガーグリップと、シリンダの後端部からシリンダ内に挿入されて後部ストッパーに連結されたプランジャーロッドとを備えたものが知られている（例えば、特許文献１、特許文献２参照）。
【０００４】
使用時には、プランジャーロッドによって後部ストッパーを押して薬液と共に前部ストッパーを前方へ押し進めると、該前部ストッパーがシリンダから押し出されて筒先のバイパスチャンバー内に入り込む。これによって、前後部ストッパー間に密封されていた薬液が、先端側の密封を解除されてシリンダ内からバイパスチャンバー内に流出し、この薬液が前部ストッパーとバイパスチャンバーとの隙間を流れ、該バイパスチャンバーの内壁に設けられたバイパス溝に沿ってルアー先の内面に誘導されて注射針へと導入されるようになっている。
【０００５】
また、未使用時おいては、薬液はシリンダ内において前部及び後部ストッパーとの間に充填、保存されている。ここで、シリンダはガラス製であるとともに前部及び後部ストッパーはブチルゴム製であり、これらの材質は薬液に対して化学的に安定であることが実証されているため、当該薬液を保存する容器として安心して用いることができる。したがって、薬液が劣化することはなく、容器兼用注射器を長期に亘って保管することができるようになっている。
【０００６】
さらに、従来の容器兼用注射器においては、シリンダと前部及び後部ストッパーとは気密液密に嵌合されているので、その中に充填、密封された薬液は空気中の酸素から何ら影響を受けない。
また、シリンダの内壁には均一に、かつ必要最少限度の量のシリコーンオイルが高温で焼き付けられているので、長時間保存した後であっても前部及び後部ストッパーはシリンダ内で滑らかに摺動することができる。なお、このようなシリコーンオイルが焼き付けられる際には、同時に２５０℃以上の高温で加熱できるため、シリンダは乾熱滅菌されパイロジェンフリー、エンドトキシンフリーとすることができる。
以上は、プラスチック製シリンダでは成し得ないガラス製シリンダの特徴である。
【０００７】
一方、筒先としてガラス製のものを用いた場合、以下のような短所がある。
即ち、注射針を取り付けるルアー先は、その外径は直径４ｍｍ前後、軸の中心には直径１．０〜１．２ｍｍの流出口を設けなければならないが、ガラス製の場合には筒先の先端を溶解成形してその形状、寸法を規格通りに成形することは非常に難しいことであり熟練した技術が必要である。
また、ガラスで成形された筒先及びルアー先は外径が４ｍｍと細いため、少しの力や衝撃でも折れやすく製造が困難である。注射時の取扱いの際にも、筒先が折れないように取扱いには細心の注意を払わなければならない。
さらに、注射針を取り付けた場合、ガラス製の筒先は当該ガラスの性質上滑り易く、注射中などに注射針が針基ごと筒先から抜けてしまうことがある。特に外筒にシリコーン処理をした場合にあっては、僅かでもシリコーンオイルが付着すると注射針の取り付けの際に滑り易くなり、当該注射針が抜け易くなってしまう
【０００８】
したがって、従来の容器兼用注射器では、上記のような短所のあるガラス製の筒先の使用を避け、プラスチック製の筒先を採用している。
筒先をプラスチックで成形した場合、設計の自由度は高く、ルアーロックのような複雑で難しい形状であっても金型さえできれば成形が可能である。しかも材質の選択によって、丈夫で耐衝撃性を備えた筒先を作ることが可能となる。
また、材質に多少の弾性があるため、注射針を取り付けた場合であっても注射針の針基との接合に材質上の安定感があり、注射中に注射針が簡単に抜けるようなことは無い。この際、ルアーロック部を備えた筒先であればさらに一体感を高めることができ安心度が高い。
【０００９】
以上のように、従来の容器兼用注射器においては、ガラス製とプラスチック製の材質的な良さを使用の目的等に応じて組み合わせることによって、安全で使い勝手の良い容器兼用注射器を実現している。
【特許文献１】特公昭６２−５８７４５号公報
【特許文献２】特開平８−１４１０８１号公報
【発明の開示】
【発明が解決しようとする課題】
【００１０】
ところで、一般に、薬液を注射器によって直接体内の必要な部位に注入する医療行為である注射には、その薬剤の種類や効能、あるいは使用目的などによって穿刺部位が定められており、例えば、静脈注射、動脈注射、皮下注射、皮内注射などの種類に分かれている。
従って、万一、穿刺部位を誤れば重大な医療事故を招来することは明らかで、このような危険を未然に防止するために、医療の現場では、注射針を穿刺した後、即座に薬液を注入せず、一度軽くプランジャーロッドを手元方向へ引き、注射器内を陰圧にする。これによって、もし、注射針の刃先が血管内にあれば、血液がわずかに注射器内へ流入（フラッシュバック）してくるので、刃先が血管内にあることが確認でき、この手技は一般にナースアスピレーションといわれている。
この手技を行うには、注射針に陰圧をかけた際に、注射器内への血液等の逆流の有無や、その色状などを目視で即座に確認できなければならず、このためには注射器の筒先において流入の有無、色状などが容易に確認できることが必要となる。
また、このようなナースアスピレーションに限られず、注射器内に別の医薬品を吸引して２種以上の医薬品を混合して注射する混注を行う場合にも、注射器の筒先において薬液の流入が確認できることが望まれる。
【００１１】
しかしながら、上記のような従来の容器兼用注射器においては、前部ストッパーの存在によって、ナースアスピレーション及び混注時における血液及び薬液の流入の有無や色状を目視で確認できる空間的余裕がほとんどなくなってしまい、こうした事情から安全な注射をする上で改善が必要とされていた。
【００１２】
一方、プランジャーロッドを完全に押し込んでシリンダ内の薬液を注射針側に導入したとしても、バイパスチャンバー内のバイパス溝等が薬液の残留を許容してしまうため、患者に投薬されない無駄な薬液が生じてしまうという問題があった。
【００１３】
この発明は、このような課題に鑑みてなされたものであって、従来の容器兼用注射器と同様に安全で使い勝手が良く、長期間に渡って薬液を劣化させずして保管することが可能であるとともに、筒先に流入する薬液や血液を良く観察することができ、さらに注射後の薬液の残留を防止することが可能な容器兼用注射器を提供することを目的とする。
【課題を解決するための手段】
【００１４】
前記課題を解決するため、この発明は以下の手段を提案している。
即ち、本発明に係る容器兼用注射器は、円筒状をなし薬液が充填されるガラス製のシリンダと、該シリンダ内の後端側に液密に嵌入されたストッパーと、前記シリンダの後端に設けられたフィンガーグリップと、前記シリンダの後端側からシリンダ内に挿入されて前記ストッパーに連結されたプランジャロッドとを備え、前記シリンダの先端側に、注射針が取り付けられるルアー先に連通孔が穿設された筒先が嵌着されてなる容器兼用注射器において、前記連通孔を閉塞する密栓部材が設けられ、該密栓部材及び前記ストッパーが前記薬液に対して耐食性のある弾性体で形成されるとともに、前記筒先における少なくとも前記薬液との接触箇所が該薬液に対して耐食性のある合成樹脂で形成されていることを特徴としている。
【００１５】
このような特徴の容器兼用注射器によれば、未使用時において、薬液は、ガラス製のシリンダと、薬液に対して耐食性のある弾性体であるストッパー及び密栓部材と、筒先における耐食性のある合成樹脂で形成された箇所とによって封入されることになる。
よって、薬液はいずれも当該薬液に対して化学的に安定であり溶出物等で影響を与えることのない部材のみで囲われることになるため、長期間に渡って容器兼用注射器を保管したとしても薬液の品質が劣化するようなことはない。
また、このように容器兼用注射器内の薬液は先端側が筒先及び密栓部材のみで液密に保持されており、使用時には密栓部材を除くのみで薬液をルアー先の連通路を介して注射針へと導入することができるため、簡易な構成でもって薬液の保持及び導入を行うことが可能となる。
したがって、従来の容器兼用注射器におけるバイパスチャンバーや前部ストッパーのような特別な構成要素を設ける必要がないため、筒先内の視認が妨げられたり、注射後の薬液の残留が許容されることはない。
【００１６】
また、上記容器兼用注射器においては、前記薬液に対して耐食性のある合成樹脂が、ポリプロピレン、環状ポリオレフィン、環状ポリオレフィンコポリマーのいずれかであることを特徴としている。
これらの合成樹脂は薬液に対して化学的に安定で高い耐食性を示すため、薬液の劣化を抑制することが可能となる。
【００１７】
本発明に係る容器兼用注射器においては、前記筒先が、前記シリンダの先端開口を覆うフランジの中央に前記ルアー先が形成されたルアー先部材と、前記シリンダの先端外周及び前記フランジの外周に外嵌される円筒状をなし前記ルアー先部材を前記シリンダに対して固定する嵌着部材とからなり、前記ルアー先部材は薬液に対して耐食性のある合成樹脂で形成され、前記嵌着部材は高透明度を有する合成樹脂で形成されているものであってもよい。
【００１８】
このような特徴の容器兼用注射器によれば、筒先がルアー先部材と嵌着部材の二点の部材からなり、ルアー先部材がシリンダの先端開口を覆って薬液を封止し、嵌着部材によってルアー先部材とシリンダとが固定一体化されることになる。
ここで、ルアー先部材は薬液に対して耐食性のある合成樹脂製であるため、当該薬液に対して影響を及ぼすことはない。また、嵌着部材は薬液に接触することはなく耐食性を考慮して材質を選定する必要がないことから、透明度を最優先とした材質で形成されており、これより当該嵌着部材が取り付けられたシリンダ先端外周における透明性は高く確保されている。
したがって、薬液を劣化させずに長期に亘って保存可能としながら、筒先及びシリンダ内に流入する薬液や血液の視認性をより高めることが可能となる。
【００１９】
また、上記の筒先がルアー先部材と嵌着部材とからなる容器兼用注射器においては、前記嵌着部材の先端から内側に向かって張り出して、前記フランジの先端側を向く面と当接し、前記ルアー先部材を軸線方向に固定する係止部が設けられたことを特徴としている。
これにより、ルアー先部材を強固にシリンダと一体化させることができるため、シリンダ内における薬液の気密液密性を向上させることができる。
【００２０】
さらに、上記の筒先がルアー先部材と嵌着部材とからなる容器兼用注射器においては、前記シリンダの先端と前記フランジの後端側を向く面との間に介入されて、前記薬液を前記シリンダ内に気密液密に保持するラバーパッキンが設けられたことを特徴としている。
これにより、シリンダ内の薬液の気密液密性をさらに高めることができ、薬液の漏洩や外気の浸入を防止することが可能となる。
【００２１】
また、前記ラバーパッキンは、ブチルゴム製であることが好ましい。
ラバーパッキンも薬液に接触することになるが、ブチルゴムは薬液に対する良好な安定性を示し耐食性が高いことが実証されているため、当該ラバーパッキンをブチルゴムで成形することによって、長期間に渡って薬液と接触しても薬液に悪影響を及ぼすことはなく、薬液の品質の維持を図ることができる。
【００２２】
上記の筒先がルアー先部材と嵌着部材とからなる容器兼用注射器においては、前記透明度を有する合成樹脂が、ポリプロピレンであることが好ましい。
ポリプロピレンは透明性もあり、機械的特性も優れているため、筒先に流入する薬液の視認性を高く維持しながら、ルアー先部材をシリンダに対して強固に固定することが可能となる。また、当該ポリプロピレンは、ある程度の弾力性を備えているため密着度を高めながらシリンダと筒先との一体化を図ることが可能となる。
【００２３】
また、上記の筒先がルアー先部材と嵌着部材とからなる容器兼用注射器においては、前記薬液に対して耐食性のある合成樹脂が、環状ポリオレフィン、環状ポリオレフィンコポリマーのいずれかであることが好ましい。
これらの合成樹脂は薬液に対して化学的に安定で高い耐食性を示すため、薬液の劣化を抑制することが可能となる。
【００２４】
さらに、本発明に係る容器兼用注射器においては、前記密栓部材が、前記筒先の外周面全域を覆うものであってもよい。
これにより、筒先先端における気密液密性をより高めることができ、保管時における薬液の漏洩や外気の浸入を完全に防止することが可能となる。
【００２５】
また、上記容器兼用注射器においては、前記密栓部材及び前記ストッパーが、ブチルゴム製であることが好ましい。
ブチルゴムは薬液に対する良好な安定性を示し耐食性が高いことが実証されているため、長期間に渡って薬液と接触しても薬液に悪影響を及ぼすことはなく、薬液の品質の維持を図ることができる。
【発明の効果】
【００２６】
本発明の容器兼用注射器によれば、薬液を耐食性のある部材のみで封入することができるため、薬液を劣化させずして長期間に亘って保管することが可能となる。
また、筒先内の視認を妨げる部材がないため、筒先に流入する薬液や血液の流入の観察を容易とし、ナースアスピレーション及び混注を円滑に行うことができるとともに、使用後における薬液の残留を防止することが可能となる。
【発明を実施するための最良の形態】
【００２７】
以下、本発明の第一の実施の形態に係る容器兼用注射器について、図面を参照して詳細に説明する。
図１は第一の実施形態に係る容器兼用注射器の側断面図、図２は図１における先端付近の部分拡大図である。
【００２８】
図１に示すように、容器兼用注射器１は、シリンダ２と、該シリンダ２の前端（図１で左側）の外周部に外嵌された筒先３と、シリンダ２の後端（図１で右側）の外周部に嵌着された合成樹脂製のフィンガーグリップ４と、シリンダ２内に充填された薬液ｍを後端側から封止するストッパー５と、シリンダ２内に後端側から挿入されて先端部がストッパー５に連結され、該ストッパー５をシリンダ２の軸線方向に往復動させるプランジャロッド６と、筒先３の先端側に取り付けられるラバーキャップ７と、筒先３内にてシリンダ２の気密液密性を保持するラバーパッキン８を備えている。
【００２９】
シリンダ２は、透明なガラス製の円筒形状をなしており、その内部には薬液ｍが充填されるとともに当該薬液ｍを後端側から封入するようにして、ストッパー５が嵌入されている。
【００３０】
ストッパー５は、シリンダ２の内径より僅かに大きな外径を有する円柱形状をなし、薬液に対して耐食性のある弾性体、例えば医療用医薬品用のゴム（本実施形態ではブチルゴム）から形成されおり、その後端側にプランジャロッド６が連結されている。
【００３１】
また、シリンダ２の後端外周部には、リング状の突起２ｃが設けられており、該突起２ｃがフィンガーグリップ４の円筒孔部４ａに形成されたリング状溝４ｂに嵌合することによって、フィンガーグリップ４がシリンダ２に強固に取り付けられている。なお、該フィンガーグリップ４はシリンダ２に別途取り付ける構成の他、シリンダ２と一体に形成されたものであってもよい。
【００３２】
そして、筒先３は、本実施形態においては、詳しくは図２に示すように、ルアー先部材１０と嵌着部材２０との二つの部材から構成されている。
【００３３】
ルアー先部材１０は、例えば環状ポリオレフィン樹脂、環状ポリオレフィンコポリマー等の薬液ｍにして化学的に安定で耐食性のある合成樹脂からなる部材であって、薬液ｍをシリンダ２先端側から封止するとともに、注射時には当該薬液ｍを図示しない注射針に導入する役割を有している。
該ルアー先部材１０は、シリンダ２と略同一の径を有する円盤状のフランジ１１と、該フランジの前側に結合された比較的小径のルアー先１２と、該ルアー先１２の径方向外側に間隔を空けてフランジ１１の前側に結合されたルアーロック部１３とを備えている。
【００３４】
ルアー先部材１０において、ルアー先１２の外周面は先端側に向かうに従って縮径するテーパ外周面１２ａとされているとともに、該ルアー先１２の内部には軸線に沿って前後に貫通してフランジ１１の後端側を向く面１１ａに連通する連通孔１２ｂが穿設されている。
また、ルアーロック部１３には、図示しない注射針の針基を係止するためのロックネジ１３ａが形成されている。
【００３５】
嵌着部材２０は、例えばポリプロピレン等の透明度、耐衝撃性及び弾力性を備えた合成樹脂からなる略円筒状の部材であって、シリンダ２とルアー先部材１２とを固定一体化する役割を有している。
該嵌着部材２０の内周面は、シリンダ２及びフランジ１１の外径と略同一寸法の内径を有する嵌着孔２１とされており、嵌着部材２０の前端には径方向内側に張り出す係止部２２が形成されている。
【００３６】
上記のようなルアー先部材１０及び嵌着部材２０からなる筒先３がシリンダ２に取り付けられるに際しては、まず、ルアー先部材１０のフランジ１１がシリンダ２の先端開口を覆った状態となるように、該フランジ１１の後端側を向く面１１ａとシリンダ２の前端部２ａとが、その間にラバーパッキン８を介在させて当接させられる。
【００３７】
なお、このラバーパッキン８は、例えば医療用医薬品用のゴム（本実施形態ではブチルゴム）から形成され、シリンダ２と同一の径をなす円盤状をなしている。また、その中央には開口部８ａが形成されており、これによりルアー先部材１０がシリンダに固定された場合における連通孔１２ｂとシリンダ２内との連通状態が確保される。
【００３８】
そして、上記のようにシリンダ２の前端部２ａとフランジ１１とがラバーパッキン８を介して当接された状態において、嵌着部材２０をシリンダ２の先端側から後端側に向かって該シリンダ２及びルアー先部材１０のフランジ１１に外嵌させる。
この際、嵌着部材２０の係止部２２がフランジ１１の先端側を向く面１１ｂに当接することにより、ルアー先部材１０が嵌着部材２０によって後端側に向かって引き込まれる。これによって、シリンダ２の前端部２ａ、ラバーパッキン８及びフランジ１１が密着するとともにラバーパッキン８が押し潰されるように弾性変形し、シリンダ２内の気密液密性が確保されるとともに、ルアー先部材１０と嵌着部材２０とがその接合部分を気密液密にして一体化される。
なお、上記シリンダ２の先端外周部にはリング状の突起２ｂが設けられており、該突起２ｂが嵌着部材２０の嵌着孔２１の前端側に形成されたリング状溝２３に嵌合される。これによって、嵌着部材２０はシリンダ２の先端外周に強固に嵌着される。
【００３９】
ラバーキャップ７は、医療用医薬品用のゴム（本実施形態においてはブチルゴム）からなり、その後端側から凹むように形成されて上記ルアー先部材１０のルアーロック部１３の外周面が嵌まり込む第一凹部７ａと、該第一凹部７ａの底部中央からさらに凹むように形成されルアー先部材１０のテーパ外周面１２ａが嵌まり込む第二凹部７ｂとを備えている。そして、これら第一凹部７ａ及び第二凹部７ｂとルアーロック部１３及びルアー先１２とが密着嵌合されることによって、当該ラバーキャップ７が筒先３（ルアー先部材１０）先端に取り付けられるようになっている。
また、第二凹部７ｂの底部には、該第二凹部７ｂの開口に向かってテーパ状に突出するように形成された密栓部７ｃが形成されている。該密栓部７ｃは、ラバーキャップ７が筒先３（ルアー先部材１０）に取り付けられた際に連通孔１２ｂを気密液密に閉塞して薬液ｍを封止する役割を有している。
【００４０】
以上のように構成された容器兼用注射器１においては、薬液ｍがシリンダ２内に充填されており、当該薬液ｍは後端側がストッパー５によって封止されるとともに、先端側が筒先３及びラバーキャップ７に封止されている。したがって、この状態において薬液ｍに直接的に接触するのは、シリンダ２、ストッパー５、密栓部７ｃ、ラバーパッキン８及びルアー先部材１２のみとなる。
ここで、シリンダ２はガラス製であるとともに、ストッパー２、密栓部７ｃ及びラバーパッキン８は医療用医薬品用のゴム、即ちブチルゴムから構成されており、これらはいずれも薬液ｍに対して化学的に安定で耐食性がある。さらにルアー先部材１２を構成するポリプロピレン、環状ポリオレフィン樹脂、環状ポリオレフィンコポリマー等の合成樹脂についても、薬液ｍに対する良好な耐食性を示すことが実証されている。よって、これらの部材は、長期間に亘って薬液ｍと接触したとしても当該薬液ｍに溶出物等で影響を与えるようなことはない。
したがって、本実施形態の容器兼用注射器１においては、薬液ｍを耐食性のある部材のみによって封入することになるため、該薬液ｍの品質を劣化させることなく長期間に渡って容器兼用注射器１を保管することが可能となる。
【００４１】
また、未使用時には上述のように薬液ｍはシリンダ２の先端側においてはルアー先部材１０とラバーパッキン８と密栓部７ｃによって封止され、使用時においては、ラバーキャップ７を取り外し密栓部７ｃによる連通孔１２ｂの閉塞を解除することのみをもって、先端側に薬液ｍを導入することができるため、簡易な構成でもって薬液ｍの保持及び導入を行うことが可能となる。
従って、例えば、バイパスチャンバーや前部ストッパーのような特別な構成要素を設ける必要がないため、筒先３内の視認が妨げられることはない。
よって、ナースアスピレーションや混注を行う際に、血液及び薬液の逆流の有無や、その色状などを目視で確認することが容易となるため、注射準備作業をより円滑に行うことが可能となる。
【００４２】
さらに、上述のようにバイパスチャンバーや前部ストッパーがないため注射後における薬液の残留を許容する余地はなく、また、プランジャロッド６を押し込んでストッパー５をシリンダ２先端まで移動させた際には、該ストッパー５がラバーパッキン８に当接して互いに弾性変形しながら密着するため、シリンダ２内に薬液ｍを全く残留させずして先端側に導入することが可能となる。
【００４３】
また、本実施形態においては、筒先３がルアー先部材１０と嵌着部材２０との二点の部材からなり、嵌着部材２０によってルアー先部材１０とシリンダ２とが固定一体化されている。
上述のように、ルアー先部材１０は、薬液ｍに対して耐食性のある合成樹脂製であるため、当該薬液に対して影響を及ぼすことはない。一方、嵌着部材２０は薬液ｍに接触することはなく、耐食性を考慮して材質を選定する必要がないため、透明度を備えつつもを弾力性を最優先とした材質（本実施形態ではポリプロピレン）で形成されている。よって、当該嵌着部材２０が取り付けられたシリンダ２先端外周における透明性を確保しながら気密性を高く確保することができる。
したがって、筒先３をルアー先部材１０と嵌着部材２０とから構成し、それぞれを役割に適した性質を備えた合成樹脂で形成することにより、薬液ｍを劣化させずに長期に亘って保存可能としつつ、筒先３及びシリンダ２内に流入する薬液や血液の視認性をより向上させた容器兼用注射器１を提供することが可能となる。
さらに、嵌着部材２０の材質として、ポリプロピレンを用いた場合には、ある程度の弾力性を備えていることからシリンダ２との密着度を高めることができ、より強固に筒先３とシリンダ２とを一体化させることが可能となる。
【００４４】
また、上記嵌着部材２０には係止部２２が設けられているため、該嵌着部材２０をシリンダ２先端外周に取り付ける際に、ルアー先部材１０とシリンダ２とを強固に固定一体化させることができるとともに、シリンダ２内における薬液ｍの気密液密性を向上させることが可能となる。
【００４５】
さらに、シリンダ２の前端部２ａとルアー先部材１０のフランジ１１との間にはラバーパッキン８が介在しているため、シリンダ２内の薬液ｍの気密液密性をさらに高めることができ、薬液ｍの漏洩や外気の浸入を防止することが可能となる。
【００４６】
また、ラバーキャップ７が取り付けられた際に当該ラバーキャップ７がルアー先部材１０のルアー先１２及びルアーロック部１３を覆うことになるため、ルアー先１２先端からの薬液の漏れや外気の浸入をより効果的に防止することが可能となる。
【００４７】
次に本発明の第二の実施形態に係る容器兼用注射器３０について、図３を用いて説明する。本実施形態の容器兼用注射器３０は、第一実施形態の容器兼用注射器１の筒先３がルアー先部材１０と嵌着部材２０とから構成されているのに対して、これらの部材が一体として成形された一体型筒先３１である点で相違し、他の点では第一実施形態と同様の構成とされている。
なお、図３において、図２と同様の構成要素には同様の符号を付して詳細な説明を省略する。
【００４８】
一体型筒先３１は、例えばポリプロピレン、環状ポリオレフィン樹脂、環状ポリオレフィンコポリマー等の薬液ｍに対して化学的に安定で耐食性のある合成樹脂からなる外径二段円柱状の形状をなしており、円筒状の嵌着部３１ｂと、該嵌着部３１ｂの前側に結合された比較的小径のルアー先３１ａと、該ルアー先３１ａの径方向外側に間隔を空けて嵌着部３１ｂの前側に結合されたルアーロック部３１ｃとを備えている。
【００４９】
上記嵌着部３１ｂの内側には有底状の嵌着穴３１ｄが形成されており、該嵌着穴３１ｄをシリンダ２の先端外周部に外嵌させることにより、筒先３１がシリンダの前端部に気密液密に取り付けられている。なお、該嵌着孔３１ｄの前端側にはリング状溝３１ｉが形成されており、これがシリンダ２の先端部のリング状突起２ｂに嵌合することによって、一体型筒先３１がシリンダ２の先端に気密液密に嵌着される。
また、ルアー先３１ａはその外周面は先端側に向かうに従って縮径するテーパ外周面３１ｊとされているとともに、該ルアー先３１ａ内を軸線に沿って前後に貫通して３１ｄの底部３１ｅに連通する連通孔３１ｆが穿設されている。
さらに、上記ルアーロック部３１ｃには、図示しない注射針の針基を係止するためのロックネジ３１ｇが形成されている。
【００５０】
このような一体型筒先３１を備えた容器兼用注射器３０は、未使用時においては薬液ｍがシリンダ２に充填され、一体型筒先３１の先端にゴム製キャップ８が取り付けられた状態とされている。この状態において薬液ｍが直接的に接触するのは、シリンダ２、ストッパー５、密栓部７ｃ及び一体型筒先３１のみとなる。
したがって、第一の実施形態と同様に、薬液ｍに対して化学的に安定で耐食性のある部材のみで薬液ｍを封入することができるため、長期間に亘って容器兼用注射器３０を保管することができる。
また、一体型筒先３１を採用しているため、第一実施形態に比べて少ない構成部材でもって容器兼用注射器３０を構成することができ、生産性の向上及び生産コストの低減を図ることが可能となる。
その他、第一の実施形態と同様に、一体型筒先３１及びシリンダ２内の視認性を確保することができる他、注射終了後にシリンダ２内に薬液ｍが残留するのを防止することが可能となる。
【００５１】
以上、本発明である容器兼用注射器の第一及び第二実施形態について詳細に説明したが、本発明の技術的思想を逸脱しない限り、これらに限定されることはなく、多少の設計変更等も可能である。
【００５２】
例えば、第一実施形態の変形例として、図４に示すように、ラバーキャップ７が筒先３全体を覆うものであってもよい。
即ち、本変形例におけるラバーキャップ７においては、第一凹部７ａよりも一段大径とされて筒先３における嵌着部材２０の外周が嵌り込む大径凹部７ｄが形成されている。
これによりラバーキャップ７が取り付けられた際には筒先３外周全体が覆われることになるため、ルアー先１２の先端における薬液ｍの漏洩及び外気の浸入をより確実に防止することができる他、ルアー先部材１０と嵌着部材２０の接合部における気密液密性をより高めることが可能となる。
【００５３】
さらに、第二実施形態の変形例として、図５に示すように、第一実施形態の変形例と同様に、一体型筒先３１全体を覆うラバーキャップ７を採用したものであってもよい。これによっても、ルアー先３１ａの先端における薬液ｍの漏洩及び外気の浸入をより確実に防止することができる。
【図面の簡単な説明】
【００５４】
【図１】本発明の第一の実施形態に係る容器兼用注射器の側断面図である。
【図２】第一変形例の。
【図３】本発明の第二の実施形態に係る容器兼用注射器の要部を示す図である。
【図４】第一の実施形態の変形例の要部を示す図である。
【図５】第二の実施形態の変形例の要部を示す図である。
【符号の説明】
【００５５】
１     容器兼用注射器
２     シリンダ
３     筒先
４     フィンガーグリップ
５     ストッパー
６     プランジャロッド
７     ラバーキャップ（密栓部材）
７ｃ   密栓部
１０   ルアー先部材
１１   フランジ
１２   ルアー先
１２ｂ        連通孔
３０    容器兼用注射器
３１    一体型筒先
３１ａ        ルアー先
３１ｆ        連通孔
【図１】
2009213632.tif 000003
【図２】
2009213632.tif 000004
【図３】
2009213632.tif 000005
【図４】
2009213632.tif 000006
【図５】
2009213632.tif 000007